(57)【要約】      （修正有）【課題】装着感の低下を抑制しつつ、吸収性本体の外側縁におけるフィット性を向上させて体液の横漏れの発生を抑制する吸収性物品を提供する。【解決手段】吸収性物品１０は、一対の胴周り域Ｓ１、Ｓ２の少なくとも一方において吸収性本体４０の非肌対向面側に配置された外装体１５を有し、外装体は、一対のシート材と、一対のシート材の間に配置され幅方向Ｗに延びる弾性部材５０とを有する。弾性部材は、外装体の一方から他方の外側部まで幅方向に連続して伸縮する連続弾性部材５２を有し、外装体には、吸収性物品の幅方向の中央において連続弾性部材が一対のシート材に固定されていない非固定領域Ｒ１２と、非固定領域よりも幅方向の外側において一対のシート材の少なくとも一方に連続弾性部材が伸縮可能に固定されている一対の固定領域Ｒ１１とが設けられている。一対の固定領域のそれぞれは、吸収性本体の外側縁を幅方向において跨いで配置されている。【選択図】図１
2020137970.tif 000002
【特許請求の範囲】
【請求項１】
前後方向及び前記前後方向に直交する幅方向と、
股下域及び前記股下域よりも前記前後方向の両側に位置する一対の胴周り域と、
吸収コアを有し、前記股下域及び前記胴周り域に跨がって配置された吸収性本体と、
前記一対の胴周り域の少なくとも一方において前記吸収性本体の非肌対向面側に配置された外装体と、を有する吸収性物品であって、
前記外装体は、一対のシート材と、前記一対のシート材の間に配置され、前記幅方向に延びる弾性部材と、を有し、
前記弾性部材は、前記外装体の一方の外側部から前記外装体の他方の外側部まで前記幅方向に連続して伸縮する連続弾性部材を有しており、
前記外装体には、前記吸収性物品の前記幅方向の中央において前記連続弾性部材が前記一対のシート材に固定されていない非固定領域と、前記非固定領域よりも前記幅方向の外側において前記一対のシート材の少なくとも一方に前記連続弾性部材が伸縮可能に固定されている一対の固定領域と、が設けられており、
前記一対の固定領域のそれぞれは、前記吸収性本体の外側縁を前記幅方向において跨いで配置されている、吸収性物品。
【請求項２】
前記非固定領域は、前記前後方向において前記吸収性本体の外端縁と前記吸収コアの外端縁の間に少なくとも配置されている、請求項１に記載の吸収性物品。
【請求項３】
前記非固定領域は、前記吸収性本体よりも前記前後方向の外側の領域に少なくとも配置されている、請求項１又は請求項２に記載の吸収性物品。
【請求項４】
前記固定領域は、前記外装体の両側の外側部から前記幅方向の内側にそれぞれ延び、前記吸収性本体の外側縁まで連続している、請求項１から請求項３のいずれか1項に記載の吸収性物品。
【請求項５】
前記外装体は、前記外装体の一方の外側部から前記外装体の他方の外側部まで前記幅方向に連続して伸縮せずに、前記幅方向に分断された非連続弾性部材を有し、
前記外装体には、前記外装体の両側の外側部から前記幅方向の内側にそれぞれ延び、かつ前記非連続弾性部材が伸縮可能に固定された伸縮領域と、前記幅方向における前記伸縮領域の間において前記非連続弾性部材が伸縮可能に固定されていない非伸縮領域と、が設けられており、
前記非伸縮領域は、前記非固定領域よりも前記前後方向の内側において前記吸収性本体に重なって配置されている、請求項１から請求項４のいずれか１項に記載の吸収性物品。
【請求項６】
前記外装体は、前記股下域よりも前側に位置する前胴周り域に配置された前外装体と、前記股下域よりも後側に配置された後胴周り域に配置された後外装体と、を有し、
前記固定領域は、前記前外装体に設けられた前固定領域と、前記後外装体に設けられた後固定領域と、を有し、
前記非固定領域は、前記前外装体に設けられた前非固定領域と、前記後外装体に設けられた後非固定領域と、を有し、
前記前固定領域の前記幅方向の長さは、前記後固定領域の前記幅方向の長さよりも長く、
前記後非固定領域の前記幅方向の長さは、前記前非固定領域の前記幅方向の長さよりも長い、請求項１から請求項５のいずれか１項に記載の吸収性物品。
【請求項７】
前記外装体は、前記股下域よりも前側に位置する前胴周り域に配置された前外装体と、前記股下域よりも後側に配置された後胴周り域に配置された後外装体と、を有し、
前記弾性部材は、前記前外装体において前記前後方向において間隔を空けて配置され、かつ前記吸収性本体の外側縁を前記幅方向に跨がる前側弾性部材と、前記後外装体において前記前後方向において間隔を空けて配置され、かつ前記吸収性本体の外側縁を前記幅方向に跨がる後側弾性部材と、を有し、
前記前側弾性部材の数は、前記後側弾性部材の数よりも多い、請求項１から請求項６のいずれか１項に記載の吸収性物品。
【請求項８】
前記一対の固定領域は、前記吸収コアの外側縁から前記前後方向に延びる延長線上をそれぞれ跨いで配置されている、請求項１から請求項７のいずれか１項に記載の吸収性物品。
【請求項９】
前記非固定領域には、前記一対のシート材を接合した接合部が設けられている、請求項１から請求項８のいずれか１項に記載の吸収性物品。
【発明の詳細な説明】
【技術分野】
【０００１】
本発明は、使い捨ておむつ等の吸収性物品に関する。
【背景技術】
【０００２】
特許文献１に記載された吸収性物品は、吸収コアを有する吸収性本体と、吸収性本体の非肌対向面側に配置された外装体と、を有する。外装体には、幅方向に伸縮可能な弾性部材が前後方向に間隔を空けて複数配置されている。外装体における吸収性本体と対向する領域には、弾性部材の収縮力を発現させなくしてなる非機能化領域が設けられている。非機能化領域は、弾性部材を分断する多数の凸部やカッター刃、弾性部材を熱シールによって硬化させる多数のエンボスピンによって形成されている（特許文献１の段落００４５）。
【先行技術文献】
【特許文献】
【０００３】
【特許文献１】特開２００８−１４２３１６号公報
【発明の概要】
【０００４】
特許文献1の吸収性物品の弾性部材の収縮力は、吸収性本体と対向する非機能化領域において発現されないように構成され、非機能化領域よりも幅方向の両側の領域において発現されている。非機能化領域よりも幅方向の両側の領域は、非機能化領域において収縮力が分断されており、互いの収縮力が連続していない。よって、非機能化領域よりも幅方向の両側の領域による収縮力が十分に発揮されず、吸収性本体よりも幅方向の外側の領域及び吸収性本体の外側縁を身体に十分にフィットさせることができないことがあった。吸収性本体の外側縁のフィット性が低下すると、体液の横漏れが発生するおそれがある。
【０００５】
また、身体に対するフィット性を向上させるために、非機能化領域を設けないことが考えられる。しかし、非機能化領域を設けずに弾性部材を連続して設けると、吸収性本体と対向する領域も着用者の胴周りに密着する。着用者の腹側の胴周りの形状は、吸収性本体と対向する領域において腹部の膨らみによって外側に張り出している。そのため、吸収性本体と対向する領域が着用者の腹部の膨らみに密着し過ぎると、装着感が低下するおそれがある。また、吸収性物品を使用する着用者は、寝た状態となることが多い。寝た状態では、吸収性物品の背部の幅方向の中央に体圧が掛かり易い。そのため、吸収性本体と対向する領域が着用者の背部の幅方向の中央に密着し過ぎると、体圧がかかった際に更に身体に吸収性物品が密着し、締め付けられる感じが強くなり、装着感が低下するおそれがある。
【０００６】
そこで、装着感の低下を抑制しつつ、吸収性本体の外側縁におけるフィット性を向上させて体液の横漏れの発生を抑制できる吸収性物品を提供することを目的とする。
【課題を解決するための手段】
【０００７】
一態様に係る吸収性物品は、前後方向及び前記前後方向に直交する幅方向と、股下域及び前記股下域よりも前記前後方向の両側に位置する一対の胴周り域と、吸収コアを有し、前記股下域及び前記胴周り域に跨がって配置された吸収性本体と、前記一対の胴周り域の少なくとも一方において前記吸収性本体の非肌対向面側に配置された外装体と、を有する吸収性物品であって、前記外装体は、一対のシート材と、前記一対のシート材の間に配置され、前記幅方向に延びる弾性部材と、を有し、前記弾性部材は、前記外装体の一方の外側部から前記外装体の他方の外側部まで前記幅方向に連続して伸縮する連続弾性部材を有しており、前記外装体には、前記吸収性物品の前記幅方向の中央において前記連続弾性部材が前記一対のシート材に固定されていない非固定領域と、前記非固定領域よりも前記幅方向の外側において前記一対のシート材の少なくとも一方に前記連続弾性部材が伸縮可能に固定されている一対の固定領域と、が設けられており、前記一対の固定領域のそれぞれは、前記吸収性本体の外側縁を前記幅方向において跨いで配置されている。
【図面の簡単な説明】
【０００８】
【図１】実施形態に係る吸収性物品の平面図である。
【図２】図２に示す吸収性物品のＡ−Ａ断面に沿った断面図である。
【図３】図２に示す吸収性物品のＢ−Ｂ断面に沿った断面図である。
【図４】図２に示す吸収性物品のＣ−Ｃ断面に沿った断面図である。
【図５】外装体の拡大平面図である。
【発明を実施するための形態】
【０００９】
（１）実施形態の概要
本明細書及び添付図面の記載により、少なくとも以下の事項が明らかとなる。
一態様に係る吸収性物品は、前後方向及び前記前後方向に直交する幅方向と、股下域及び前記股下域よりも前記前後方向の両側に位置する一対の胴周り域と、吸収コアを有し、前記股下域及び前記胴周り域に跨がって配置された吸収性本体と、前記一対の胴周り域の少なくとも一方において前記吸収性本体の非肌対向面側に配置された外装体と、を有する吸収性物品であって、前記外装体は、一対のシート材と、前記一対のシート材の間に配置され、前記幅方向に延びる弾性部材と、を有し、前記弾性部材は、前記外装体の一方の外側部から前記外装体の他方の外側部まで前記幅方向に連続して伸縮する連続弾性部材を有しており、前記外装体には、前記吸収性物品の前記幅方向の中央において前記連続弾性部材が前記一対のシート材に固定されていない非固定領域と、前記非固定領域よりも前記幅方向の外側において前記一対のシート材の少なくとも一方に前記連続弾性部材が伸縮可能に固定されている一対の固定領域と、が設けられており、前記一対の固定領域のそれぞれは、前記吸収性本体の外側縁を前記幅方向において跨いで配置されている。
【００１０】
本態様によれば、連続弾性部材は、外装体の一方の外側部から前記外装体の他方の外側部まで前記幅方向に連続しており、分断されていない。よって、連続弾性部材の収縮力は、弾性部材が幅方向に連続していない形態と比較して、発現し易い。連続弾性部材が固定された固定領域が吸収性本体の外側縁を跨いでいるため、連続弾性部材によって吸収性本体の外側縁をフィットさせ、体液の横漏れを抑制できる。また、固定領域の間には、非固定領域が配置されている。非固定領域は、連続弾性部材を固定する固定手段を備えず、固定領域と比較して柔軟に変形し易い。そのため、非固定領域における連続弾性部材の収縮によって吸収性本体の幅方向の中央が身体に密着しても、身体に対する違和感を低減でき、装着感の低下を抑制できる。
【００１１】
好ましい一態様によれば、前記非固定領域は、前記前後方向において前記吸収性本体の外端縁と前記吸収コアの外端縁の間に少なくとも配置されてよい。
【００１２】
本態様によれば、吸収コアよりも前後方向の外側の領域が身体にフィットし、前後方向の漏れを抑制できる。また、吸収コアよりも前後方向の外側の領域の内面（身体に接する面）は、吸収コアが配置されてなく、連続弾性部材の収縮に起因する皺が形成され易い。非固定領域が柔軟に変形し易いため、連続弾性部材の収縮に起因する皺の肌に対する当たりを和らげ、装着感の悪化を抑制できる。
【００１３】
好ましい一態様によれば、前記非固定領域は、前記吸収性本体よりも前記前後方向の外側の領域に少なくとも配置されてよい。
【００１４】
吸収性本体よりも前後方向の外側の領域は、外装体の内面が直に接し、連続弾性部材の収縮に起因する皺が肌に当たり易い。着用者の胴周りの幅方向の中央には、外装体の非固定領域が当たるため、連続弾性部材の収縮に起因する皺の肌に対する当たりを和らげ、装着感の悪化を抑制できる。また、吸収性本体よりも前後方向の外側の領域が連続弾性部材の収縮によって身体にフィットし、前後方向の漏れを抑制できる。
【００１５】
好ましい一態様によれば、前記固定領域は、前記外装体の両側の外側部から前記幅方向の内側にそれぞれ延び、前記吸収性本体の外側縁まで連続してよい。
【００１６】
本態様によれば、固定領域が外装体の両側の外側部から吸収性本体の外側縁まで連続しているため、吸収性本体よりも幅方向の外側も身体にフィットし、吸収性本体の外側縁の浮き上がりを抑制し、横漏れをより抑制できる。
【００１７】
好ましい一態様によれば、前記外装体は、前記外装体の一方の外側部から前記外装体の他方の外側部まで前記幅方向に連続して伸縮せずに、前記幅方向に分断された非連続弾性部材を有し、前記外装体には、前記外装体の両側の外側部から前記幅方向の内側にそれぞれ延び、かつ前記非連続弾性部材が伸縮可能に固定された伸縮領域と、前記幅方向における前記伸縮領域の間において前記非連続弾性部材が伸縮可能に固定されていない非伸縮領域と、が設けられており、前記非伸縮領域は、前記非固定領域よりも前記前後方向の内側において前記吸収性本体に重なって配置されてよい。
【００１８】
本態様によれば、非固定領域よりも前後方向の内側に非伸縮領域が設けられているため、吸収性本体における吸収コアの収縮を抑制できる。吸収コアの幅方向の長さを確保することで体液の吸収性能を高めることができるとともに、吸収コアの表面の皺の発生を抑制することによって前後方向への伝い漏れを抑制できる。
【００１９】
好ましい一態様によれば、前記外装体は、前記股下域よりも前側に位置する前胴周り域に配置された前外装体と、前記股下域よりも後側に配置された後胴周り域に配置された後外装体と、を有し、前記固定領域は、前記前外装体に設けられた前固定領域と、前記後外装体に設けられた後固定領域と、を有し、記非固定領域は、前記前外装体に設けられた前非固定領域と、前記後外装体に設けられた後非固定領域と、を有し、前記前固定領域の前記幅方向の長さは、前記後固定領域の前記幅方向の長さよりも長く、前記後非固定領域の前記幅方向の長さは、前記前非固定領域の前記幅方向の長さよりも長くてよい。
【００２０】
本態様によれば、着用者の排泄口は、前胴周り域寄りに位置している。よって、前胴周り域には後胴周り域よりも体液が導かれ易く、前漏れが発生しやすい。しかし、前固定領域の幅方向の長さが比較的長いため、前胴周り域において吸収性本体の外側縁の密着性を高め、前漏れを抑制できる。また、非固定領域は、シート材と連続弾性部材が固定されてなく、固定領域と比較して身体に対して密着し難い。後非固定領域の幅方向の長さが比較的長いため、後胴周り域において密着し難い領域を広く設け、便の収容空間を確保できる。
【００２１】
好ましい一態様によれば、前記外装体は、前記股下域よりも前側に位置する前胴周り域に配置された前外装体と、前記股下域よりも後側に配置された後胴周り域に配置された後外装体と、を有し、前記弾性部材は、前記前外装体において前記前後方向において間隔を空けて配置され、かつ前記吸収性本体の外側縁を前記幅方向に跨がる前側弾性部材と、前記後外装体において前記前後方向において間隔を空けて配置され、かつ前記吸収性本体の外側縁を前記幅方向に跨がる後側弾性部材と、を有し、前記前側弾性部材の数は、前記後側弾性部材の数よりも多くてよい。
【００２２】
本態様によれば、前側部弾性部材の数が後側部弾性部材の数よりも多いため、前外装体において吸収性本体を幅方向の外側引っ張る力が、後外装体において吸収性本体を幅方向の外側に引っ張る力よりも強くなり易い。着用状態では、後胴周り域の外側部は、前胴周り域の外側部に連なり、前胴周り域の外側部を介して幅方向の外側に引っ張られる。よって、後胴周り域の吸収性本体は、幅方向の外側に引っ張られ、表面の凹凸が小さくなり、面で身体に当たり易い。後胴周り域において吸収性本体が面で身体に当たることにより、臀部間の隙間を介した漏れを抑制できる。
【００２３】
好ましい一態様によれば、前記一対の固定領域は、前記吸収コアの外側縁から前記前後方向に延びる延長線上をそれぞれ跨いで配置されてよい。
【００２４】
本態様によれば、吸収コアの外側縁から延びる延長線上に連続弾性部材が配置されているため、連続弾性部材によって延長線を幅方向の外側に引っ張り、延長線を介して吸収コアの外側縁をも幅方向の外側に引っ張ることができる。吸収コアの外側縁のフィット性を向上させ、体液の横漏れをより抑制できる。
【００２５】
好ましい一態様によれば、前記非固定領域には、前記一対のシート材を接合した接合部が設けられてよい。
【００２６】
本態様によれば、接合部によってシート材の表面をコントロールすることができる。皺を細かく形成したり、皺を意図した形状に形成したりして、皺による肌に対する違和感を抑制できる。
【００２７】
（２）吸収性物品の全体概略構成
以下、図面を参照して、実施形態に係る吸収性物品について説明する。なお、以下の図面の記載において、同一又は類似の部分には、同一又は類似の符号を付している。ただし、図面は模式的なものであり、各寸法の比率等は現実のものとは異なることに留意すべきである。したがって、具体的な寸法等は、以下の説明を参酌して判断すべきである。また、図面相互間においても互いの寸法の関係や比率が異なる部分が含まれ得る。
【００２８】
吸収性物品は、テープ型であってもよいし、パンツ型であってもよい。吸収性物品は、使い捨ておむつであってもよいし、ショーツ型の生理用ナプキンであってよい。実施形態の吸収性物品は、パンツ型の使い捨ておむつである。図１は、本実施形態に係る使い捨ておむつ１０の模式平面図である。図２は、図２に示すＡ−Ａ線に沿った断面図である。図３は、図２に示す吸収性物品のＢ−Ｂ断面に沿った断面図である。図４は、図２に示す吸収性物品のＣ−Ｃ断面に沿った断面図である。図１では、後述するサイド接合部６０を展開した状態において吸収性物品１０を皺が形成されない状態まで伸長させた伸長状態を示している。また、図２から図４に示す断面図では、説明の便宜上、各部材を厚み方向Ｔにおいて離間して示しているが、実際の製品においては厚み方向Ｔに接している。
【００２９】
吸収性物品１０は、互いに直交する前後方向Ｌ及び幅方向Ｗを有する。前後方向Ｌは、身体前側と身体後側とに延びる方向によって規定される。また、吸収性物品１０は、前後方向Ｌと幅方向Ｗの両方の直交する厚み方向Ｔを有する。厚み方向Ｔは、着用者に向かう肌面側Ｔ１と、着用者から離れる方に向かう非肌面側Ｔ２と、に延びる。吸収性物品１０は、股下域Ｓ３及び股下域Ｓ３よりも前後方向の外側に位置する胴周り域を有する。胴周り域は、着用者の前胴周り（腹部）に対向する前胴周り域と、着用者の後胴周り（背部）に対向する後胴周り域Ｓ２と、を有してよい。股下域Ｓ３は、着用者の股下に対向する。股下域Ｓ３は、後述する脚周り開口部６６が形成された領域である。前胴周り域Ｓ１の股下域側の境界は、脚周り開口部６６の前端縁であり、後胴周り域Ｓ２の股下域側の境界は、脚周り開口部６６の後端縁である。
【００３０】
吸収性物品１０は、吸収性本体４０と、外装体１５と、を有する。外装体１５は、一対の胴周り域の少なくとも一方において吸収性本体４０の非肌対向面側に配置されている。外装体１５は、前胴周り域Ｓ１に配置される前外装体１６と、後胴周り域Ｓ２に配置される後外装体１７と、を有してよい。前外装体１６は、前胴周り域Ｓ１において、吸収性本体４０と重なる領域と、吸収性本体４０と重ならない領域と、に配置されている。後外装体１７は、後胴周り域Ｓ２において、吸収性本体４０と重なる領域と、吸収性本体４０と重ならない領域と、に配置されている。前外装体１６と後外装体１７は、前後方向Ｌに離間してよい。他の実施形態において、外装体１５は、前外装体１６と後外装体１７が前後方向Ｌに離間せずに、前後方向Ｌに連続していてもよい。外装体１５については、後述にて詳細に説明する。
【００３１】
吸収性物品１０は、前外装体１６の外側部と後外装体１７の外側部とを接合したサイド接合部６０が設けられていてよい。サイド接合部６０が形成された状態で、吸収性物品１０には、着用者の胴が通されるウエスト開口部６２と、着用者の脚がそれぞれ挿入される一対の脚周り開口部６６と、が形成される。なお、本発明における外側部とは、幅方向Ｗにおける外縁を含む幅方向Ｗに一定の範囲を占める部分であり、外側縁とは、幅方向Ｗにおける外縁である。なお、本実施の形態の後外装体１７の前後方向Ｌの長さは、前外装体１６の前後方向Ｌの長さよりも長い。後外装体１７は、サイド接合部６０よりも股下側に延出している。
【００３２】
なお、本発明における外側部とは、幅方向Ｗにおける外縁を含む幅方向Ｗに一定の範囲を占める部分であり、外側縁とは、幅方向Ｗにおける外縁である。本発明における内側部とは、幅方向Ｗにおける内縁を含む幅方向Ｗに一定の範囲を占める部分であり、内側縁とは、幅方向Ｗにおける内縁である。また、本発明における前端部及び後端部は、前後方向Ｌにおける縁を含む前後方向Ｌに一定の範囲を占める部分であり、前端縁及び後端縁は、前後方向Ｌにおける縁である。外端部は、前端部及び後端部を含んでおり、外端縁は、前端縁及び後端縁を含んでいる。
【００３３】
吸収性本体４０は、前外装体１６と後外装体１７に跨って配置されている。吸収性本体４０は、前外装体１６及び後外装体１７とは別体として構成されていてよいし、前外装体１６及び後外装体１７と一体化していてもよい。吸収性本体４０は、吸収コア４５と、吸収コア４５よりも肌面側Ｔ１に位置するトップシート４３と、吸収コア４５よりも非肌面側Ｔ２に位置するバックシートと、を含んでよい。吸収コア４５は、少なくとも股下域Ｓ３に配置されてよく、一対の胴周り域の少なくとも一方に跨がってよい。吸収コア４５は、例えば粉砕パルプもしくは高吸収性ポリマー（ＳＡＰ）、又はこれらの混合物を含んでいてよい。吸収コア４５は、コアラップによって覆われていてもよい。トップシート４３は、液透過性のシートであり、例えば、不織布によって構成される。トップシート４３は、吸収コア４５の幅方向の中央を覆うセンターシートと、センターシートの外側部を覆うサイドシートと、を有してよい。バックシートは、第１バックシート４１と、第１バックシート４１よりも非肌面側Ｔ２に配置された第２バックシート４２と、を有してよい。第１バックシート４１は、液透過性のフィルムによって構成されてよい。第２バックシート４２は、不織布によって構成されてよい。
【００３４】
（３）外装体の詳細構成
次いで、外装体１５について詳細に説明する。なお、以下の説明において、外装体１５として説明する構成については、前外装体１６及び後外装体１７の両方に設けられる構成であってよい。外装体１５は、一対のシート材１８と、一対のシート材１８の間に配置され、幅方向に延びる弾性部材５０と、を有する。一対のシート材１８は、吸収性本体４０の非肌面側Ｔ２に配置された第１シート１８Ａと、第１シート１８Ａの非肌面側Ｔ２に位置する第２シート１８Ｂと、を有してよい。第１シート１８Ａと第２シート１８Ｂは、別々のシートであってもよいし、同一のシートであってもよい。また、外装体１５には、第１シート１８Ａ及び第２シート１８Ｂの他に、他のシート材が設けられていてもよい。
【００３５】
弾性部材５０は、第１シート１８Ａと第２シート１８Ｂの間に配置されている。弾性部材５０は、幅方向Ｗに沿っており、前後方向Ｌに間隔を空けて複数配置されている。弾性部材５０は、外装体１５の一方の外側部から外装体１５の他方の外側部まで幅方向に連続して伸縮する連続弾性部材５１，５２と、外装体１５の一方の外側部から外装体１５の他方の外側部まで幅方向Ｗに連続して伸縮せずに、幅方向Ｗに分断された非連続弾性部材５３と、を有してよい。なお、外装体１５の一方の外側部から外装体１５の他方の外側部まで幅方向に連続して伸縮する構成は、前外装体１６内において幅方向Ｗに連続して伸縮する構成、及び後外装体１７内において幅方向Ｗに連続して伸縮する構成であればよく、前外装体１６と後外装体１７の両方に跨がって連続して伸縮する構成でなくてよい。また、連続弾性部材５１，５２に配置における外装体１５の外側部は、サイド接合部６０であってよい。すなわち、連続弾性部材５１，５２は、外装体１５の一方のサイド接合部６０から外装体１５の他方のサイド接合部６０まで幅方向Ｗに連続して伸縮してよい。
【００３６】
連続弾性部材は、ウエスト開口部６２から前後方向Ｌの内側に延びるウエスト連続弾性部材５１と、ウエスト連続弾性部材５１よりも前後方向Ｌの内側に配置された腰周り連続弾性部材５２と、を有してよい。腰周り連続弾性部材５２は、本発明の連続弾性部材を構成する。連続弾性部材は、前後方向Ｌに間隔を空けて複数配置されてよい。本実施の形態のウエスト連続弾性部材５１は、前外装体１６と後外装体１７のそれぞれに５本ずつ配置され、腰周り連続弾性部材５２は、前外装体１６に２本配置され、後外装体１７に４本配置されている。
【００３７】
ウエスト連続弾性部材５１は、外装体１５の一方の外側部と外装体１５の他方の外側部との間で伸縮可能に一対のシート材１８に固定されている。ウエスト連続弾性部材５１が配置された領域の全体に亘ってウエスト連続弾性部材５１と一対のシート材１８が固定されている。そのため、ウエスト連続弾性部材５１が配置された領域全体に亘って、ウエスト連続弾性部材５１とシート材１８が一体化して伸縮する。少なくとも一部のウエスト連続弾性部材５１は、シート材と異なる色に着色されていてもよい。ウエスト連続弾性部材５１が配置された領域は、幅方向Ｗの全体に亘ってシート材１８が肌に密着し、漏れを抑制できる。ウエスト連続弾性部材５１が着色によって目立つことにより、使用者は、シート材１８が肌に密着する態様を把握し易く、漏れに対する安心感を得ることができる。なお、弾性部材の固定手段は、特に制限されず、本実施の形態では、ＨＭＡ型接着剤ＨＭによってシート材１８に弾性部材５０が接合されている。ＨＭＡ型接着剤ＨＭを、図２、図３及び図４において示す。ＨＭＡ型接着剤ＨＭは、弾性部材５０に塗布されていてもよいし、シート材１８に塗布されていてもよい。
【００３８】
腰周り連続弾性部材５２は、外装体１５の一方の外側部から外装体１５の他方の外側部まで配置され、部分的にシート材１８に固定されている。具体的には、外装体１５には、吸収性物品１０の幅方向Ｗの中央において腰周り連続弾性部材５２が一対のシート材１８に固定されていない非固定領域Ｒ１２と、非固定領域Ｒ１２よりも幅方向Ｗの外側において一対のシート材１８の少なくとも一方に腰周り連続弾性部材５２が伸縮可能に固定されている一対の固定領域Ｒ１１と、が設けられている。腰周り連続弾性部材５２が前後方向に間隔を空けて複数配置されている形態にあっては、固定領域Ｒ１１の外端縁及び非固定領域Ｒ１２は、複数の腰周り連続弾性部材５２を跨がって形成される。よって、固定領域Ｒ１１及び非固定領域Ｒ１２の外端縁は、前外装体１６において最も前側に位置する腰周り連続弾性部材５２と、後外装体１７において最も後側に位置する腰周り連続弾性部材５２と、に一致する。固定領域Ｒ１１の内端縁及び非固定領域Ｒ１２の内端縁は、前外装体１６において最も後側に位置する腰周り連続弾性部材５２と、後外装体１７において最も前側に位置する腰周り連続弾性部材５２と、に一致する。前外装体における固定領域Ｒ１１及び非固定領域Ｒ１２は、最も前側に位置する腰周り連続弾性部材５２と最も後側に位置する腰周り連続弾性部材５２に跨がって前後方向に延びている。同様に、後外装体における固定領域Ｒ１１及び非固定領域Ｒ１２は、最も前側に位置する腰周り連続弾性部材５２と最も後側に位置する腰周り連続弾性部材５２に跨がって前後方向に延びている。
【００３９】
腰周り連続弾性部材５２は、固定領域Ｒ１１においてシート材１８と共に伸縮し、非固定領域Ｒ１２においてシート材１８に対して浮き上がりつつ伸縮する。非固定領域Ｒ１２では、腰周り連続弾性部材５２をシート材１８に固定する接着剤の等の固定手段が設けられないため、固定領域Ｒ１１と比較して剛性が低く、柔軟に変形し易い。加えて、吸収性物品１０は、腰周り連続弾性部材５２を連続してシート材１８に固定しないため、固定手段の資材コストを低減できる。
【００４０】
吸収性物品１０が着用された着用状態で、前外装体１６の腰周り連続弾性部材５２は、腹部の膨らみに対向する領域に配置され、後外装体１７の腰周り連続弾性部材５２は、臀部の膨らみ又は臀部を越えた背中に対向する領域に配置される。この腹部の膨らみや臀部の膨らみは、特に身体の幅方向の中央において張り出している。非固定領域Ｒ１２は、吸収性物品１０の幅方向Ｗの中央に位置し、着用時に身体の幅方向の中央に対向して配置される。非固定領域Ｒ１２は、腰周り連続弾性部材５２を固定する固定手段を備えず、固定領域Ｒ１１と比較して柔軟に変形し易い。そのため、非固定領域Ｒ１２における腰周り連続弾性部材５２の収縮によって吸収性本体４０が身体に密着しても、外装体１５が柔軟に変形することで身体に対する違和感を低減でき、装着感の低下を抑制できる。
【００４１】
また、着用者が寝た状態では、後外装体１７の幅方向Ｗの中央に体圧が掛かり易い。非固定領域Ｒ１２は、後外装体１７の幅方向Ｗの中央に位置し、寝た状態で体圧を受けやすい。このとき、非固定領域Ｒ１２は、腰周り連続弾性部材５２がシート材１８に固定されてなく、シート材１８から浮き上がって収縮するため、固定領域Ｒ１１と比較して身体に対する密着性が低くなる。よって、非固定領域Ｒ１２における腰周り連続弾性部材５２の収縮によって吸収性本体４０が身体に密着するとともに寝た姿勢における体圧がかかっても、着用者の背部の中央に吸収性物品１０が密着し過ぎることを抑制できる。使用者は、締め付けられる感じを強く受け難く、装着感の低下を抑制できる。
【００４２】
固定領域Ｒ１１及び非固定領域Ｒ１２は、少なくとも吸収性本体４０の外端縁を前後方向Ｌに跨いで配置されている。詳細には、後外装体１７の腰周り連続弾性部材５２は、吸収性本体４０の後端縁４０Ｒよりも後側の領域と、吸収性本体４０の後端縁４０Ｒよりも前側の領域と、に設けられている。また、前外装体１６の腰周り連続弾性部材５２は、吸収性本体４０の前端縁４０Ｆよりも前側の領域と、吸収性本体４０の前端縁４０Ｆよりも後側の領域と、に設けられている。
【００４３】
一対の固定領域Ｒ１１のそれぞれは、吸収性本体４０の外側縁４０Ｅを幅方向Ｗにおいて跨いで配置されている。なお、固定領域Ｒ１１の前後方向Ｌの範囲のうち少なくとも一部の範囲が、吸収性本体４０の外側縁４０Ｅを幅方向Ｗにおいて跨いでいればよい。腰周り連続弾性部材５２は、幅方向Ｗに連続しており、分断されていない。よって、腰周り連続弾性部材５２の収縮力は、弾性部材が幅方向に連続していない形態と比較して、発現し易い。加えて、腰周り連続弾性部材５２が固定された固定領域Ｒ１１が吸収性本体４０の外側縁４０Ｅを跨いでいるため、腰周り連続弾性部材５２によって吸収性本体４０の外側縁４０Ｅを身体にフィットさせ、体液の横漏れを抑制できる。
【００４４】
固定領域Ｒ１１及び非固定領域Ｒ１２は、前後方向Ｌにおいて吸収性本体４０の外端縁と吸収コア４５の外端縁の間に配置されてよい。本実施の形態の固定領域Ｒ１１及び非固定領域Ｒ１２は、吸収性本体４０の前端縁４０Ｆと吸収コア４５の前端縁４５Ｆの間の領域と、吸収性本体４０の後端縁４０Ｒと吸収コア４５の後端縁４５Ｒの間の領域と、に設けられてよい。この構成によれば、吸収コア４５よりも前後方向Ｌの外側の領域が腰周り連続弾性部材５２の収縮によって身体にフィットし、前後方向Ｌの漏れを抑制できる。また、吸収コア４５よりも前後方向Ｌの外側の領域の内面（身体に接する面）は、吸収コア４５が配置されてなく、腰周り連続弾性部材５２の収縮に起因する皺が形成され易い。非固定領域Ｒ１２が柔軟に変形することで、腰周り連続弾性部材５２の収縮に起因する皺の肌に対する当たりを和らげ、装着感の悪化を抑制できる。
【００４５】
固定領域Ｒ１１及び非固定領域Ｒ１２は、吸収性本体４０よりも前後方向Ｌの外側の領域に少なくとも配置されてよい。吸収性本体４０よりも前後方向Ｌの外側の領域が腰周り連続弾性部材５２の収縮によって身体にフィットし、前後方向Ｌの漏れを抑制できる。また、吸収性本体４０よりも前後方向Ｌの外側の領域は、外装体１５の内面が直に接し、腰周り連続弾性部材５２の収縮に起因する皺が肌に当たり易い。着用者の幅方向の中央に非固定領域Ｒ１２が当たるため、腰周り連続弾性部材５２の収縮に起因する皺の肌に対する当たりを和らげ、装着感の悪化を抑制できる。
【００４６】
固定領域Ｒ１１の外端縁及び非固定領域Ｒ１２の外端縁は、外装体１５の外端縁よりも前後方向Ｌの内側であってよく、吸収性本体４０の外端縁よりも前後方向Ｌの外側であってよい。また、固定領域Ｒ１１の内端縁及び非固定領域Ｒ１２の内端縁は、吸収性本体４０の外端縁よりも前後方向の内側であってよく、吸収コア４５の外端縁よりも前後方向の外側であってよい。
【００４７】
固定領域Ｒ１１の内側縁（非固定領域Ｒ１２の外側縁）は、吸収性本体の外側縁４０Ｅよりも幅方向Ｗの内側に位置していればよく、より好適には、吸収コア４５の外側縁４５Ｅよりも幅方向Ｗの内側に位置してよい。詳細には、一対の固定領域Ｒ１１は、吸収コア４５の外側縁４５Ｅから前後方向Ｌに延びるコア延長線上をそれぞれ跨いで配置されてよい。吸収コア４５の外側縁４５Ｅから延びる延長線上に腰周り連続弾性部材５２が配置されているため、腰周り連続弾性部材５２によって吸収コアの延長線を幅方向Ｗの外側に引っ張り、当該延長線を介して吸収コア４５の外側縁４５Ｅも幅方向Ｗの外側に引っ張ることができる。吸収コアの外側縁のフィット性を向上させることにより、体液の横漏れをより抑制できる。
【００４８】
また、固定領域Ｒ１１の外側縁は、外装体の外側部に少なくとも位置していればよい。なお、吸収性本体の外側縁４０Ｅを跨ぐ固定領域Ｒ１１と、外装体の外側部に位置する固定領域Ｒ１１と、が幅方向Ｗに間隔を空けて設けられていてもよい。しかし、好適には、固定領域Ｒ１１は、外装体１５の両側の外側部から幅方向の内側にそれぞれ延び、吸収性本体４０の外側縁４０Ｅまで連続してよい。固定領域Ｒ１１が外装体の両側の外側部から吸収性本体の外側縁まで連続しているため、吸収性本体４０よりも幅方向の外側の領域も身体にフィットし、吸収性本体４０の外側縁４０Ｅの浮き上がりを抑制し、横漏れを抑制できる。
【００４９】
固定領域Ｒ１１及び非固定領域Ｒ１２は、前外装体１６と後外装体１７のいずれか一方に設けられてもよいし、前外装体１６と後外装体１７の両方に設けられてもよい。固定領域Ｒ１１は、前外装体１６に設けられた前固定領域Ｒ１１１と、後外装体１７に設けられた後固定領域Ｒ１１２と、を有してよい。非固定領域Ｒ１２は、前外装体１６に設けられた前非固定領域Ｒ１２１と、後外装体１７に設けられた後非固定領域Ｒ１２２と、を有してよい。固定領域Ｒ１１及び非固定領域Ｒ１２が前外装体１６と後外装体１７の両方に設けられていることにより、腹側及び背側のいずれにおいても、装着感の低下を抑制しつつ体液の横漏れの発生を抑制できる。
【００５０】
前固定領域Ｒ１１１の幅方向Ｗの長さは、後固定領域Ｒ１１２の幅方向Ｗの長さよりも長くてよい。着用者の排泄口は、前胴周り域Ｓ１寄りに位置している。よって、前胴周り域Ｓ１には後胴周り域Ｓ２よりも体液が導かれ易く、前漏れが発生しやすい。しかし、前固定領域Ｒ１１１の幅方向Ｗの長さが比較的長いため、前胴周り域Ｓ１において吸収性本体４０の外側縁４０Ｅの密着性を高め、前漏れを抑制できる。
【００５１】
後非固定領域Ｒ１２２の幅方向Ｗの長さは、前非固定領域Ｒ１２１の幅方向Ｗの長さよりも長くてよい。非固定領域Ｒ１２は、シート材１８と腰周り連続弾性部材５２が固定されてなく、固定領域Ｒ１１と比較して身体に対して密着し難い。後非固定領域Ｒ１２２の幅方向Ｗの長さが比較的長いため、後胴周り域Ｓ２が身体に対して密着し難い領域を広く設けることができ、便の収容空間を確保できる。
【００５２】
腰周り連続弾性部材５２よりも前後方向Ｌの内側には、非連続弾性部材５３が設けられてよい。外装体１５には、外装体の両側の外側部から幅方向Ｗの内側にそれぞれ延び、かつ非連続弾性部材５３が伸縮可能に固定された伸縮領域Ｒ２１と、幅方向における伸縮領域Ｒ２１の間において非連続弾性部材５３が伸縮可能に固定されていない非伸縮領域Ｒ２２と、が設けられている。非伸縮領域Ｒ２２は、非連続弾性部材５３が配置されてない領域のみならず、非伸縮状態（非伸長状態）の非連続弾性部材５３が配置された領域も含むものである。なお、非連続弾性部材５３が前後方向に間隔を空けて複数配置されている形態にあっては、伸縮領域Ｒ２１及び非伸縮領域Ｒ２２は、複数の非連続弾性部材５３を跨がって形成される。よって、伸縮領域Ｒ２１の外端縁及び非伸縮領域Ｒ２２の外端縁は、前外装体１６において最も前側に位置する非連続弾性部材５３と、後外装体１７において最も後側に位置する腰周り連続弾性部材５２と、に一致する。伸縮領域Ｒ２１の内端縁及び非伸縮領域Ｒ２２の内端縁は、前外装体１６において最も後側に位置する非連続弾性部材５３と、後外装体１７において最も前側に位置する非連続弾性部材５３と、に一致する。前外装体における伸縮領域Ｒ２１及び非伸縮領域Ｒ２２は、最も前側に位置する腰周り非連続弾性部材５３と最も後側に位置する非連続弾性部材５３に跨がって前後方向に延びている。同様に、後外装体における伸縮領域Ｒ２１及び非伸縮領域Ｒ２２は、最も前側に位置する非連続弾性部材５３と最も後側に位置する非連続弾性部材５３に跨がって前後方向に延びている。
【００５３】
非伸縮領域Ｒ２２は、非固定領域Ｒ１２よりも前後方向Ｌの内側において吸収性本体４０に重なって配置されてよい。なお、非伸縮領域Ｒ２２は、吸収性本体の少なくとも一部に重なっていればよく、より好適には、吸収性本体４０の幅方向Ｗの中央に重なってよい。非固定領域Ｒ１２よりも前後方向の内側に非伸縮領域Ｒ２２が設けられていることにより、吸収性本体４０における吸収コア４５の収縮を抑制できる。吸収コア４５の幅方向Ｗの長さを確保することで体液の吸収性能を高めることができるとともに、吸収コア４５の表面の皺の発生を抑制することによって前後方向Ｌへの伝い漏れを抑制できる。
【００５４】
伸縮領域Ｒ２１及び非伸縮領域Ｒ２２は、固定領域Ｒ１１及び非固定領域Ｒ１２よりも前後方向Ｌの内側に配置されてよい。伸縮領域Ｒ２１の外端縁及び非伸縮領域Ｒ２２の外端縁は、吸収性本体４０の外端縁よりも前後方向の内側であってよく、吸収コアの外端縁よりも前後方向の外側であってよい。また、伸縮領域Ｒ２１の内端縁及び非伸縮領域Ｒ２２の内端縁は、吸収コア４５の外端縁よりも前後方向の内側であってよい。
【００５５】
伸縮領域Ｒ２１の内側縁（非伸縮領域Ｒ２２の外側縁）は、吸収性本体の外側縁４０Ｅよりも幅方向の内側に位置していればよく、より好適には、吸収コアの外側縁よりも幅方向の内側に位置してよい。また、伸縮領域Ｒ２１の外側縁は、外装体の外側部に位置していればよい。伸縮領域Ｒ２１の内側縁（非伸縮領域Ｒ２２の外側縁）と、固定領域Ｒ１１の内側縁（非固定領域Ｒ１２の外側縁）と、は、幅方向における位置が一致していてもよい。
【００５６】
非伸縮領域Ｒ２２は、非固定領域Ｒ１２よりも前後方向の内側において吸収性本体４０に重なって配置されてよい。伸縮領域Ｒ２１及び非伸縮領域Ｒ２２を設ける方法としては、まず、非連続弾性部材５３を構成する弾性部材を幅方向に連続して配置する。弾性部材は、伸縮領域Ｒ２１及び非伸縮領域Ｒ２２を跨がって配置する。このとき、伸縮領域Ｒ２１の弾性部材又は、シート材における伸縮領域Ｒ２１に対応する領域に、弾性部材を固定する接着剤を塗布する。このとき、非伸縮領域Ｒ２２の弾性部材及びシート材における非伸縮領域Ｒ２２に対応する領域には、接着剤を塗布しない。そして、伸縮領域Ｒ２１及び非伸縮領域Ｒ２２を跨がって配置された弾性部材を、非伸縮領域Ｒ２２において切断する。非伸縮領域Ｒ２２に配置された弾性部材は、シート材１８に固定されなくカットバックする。よって、非伸縮領域Ｒ２２には、伸縮状態の弾性部材が配置されない。また、他の方法としては、非連続弾性部材５３を構成する弾性部材を幅方向に連続して配置する際に、弾性部材の全域又は、シート材における伸縮領域Ｒ２１及び非伸縮領域Ｒ２２に対応する領域に、弾性部材を固定する接着剤を塗布する。そして、伸縮領域Ｒ２１及び非伸縮領域Ｒ２２を跨がって配置された弾性部材を、非伸縮領域Ｒ２２において複数箇所で切断する。
【００５７】
弾性部材５０は、前外装体１６において前後方向Ｌにおいて間隔を空けて配置され、かつ吸収性本体４０の外側縁４０Ｅを幅方向Ｗに跨がる前側弾性部材と、後外装体１７において前後方向Ｌにおいて間隔を空けて配置され、かつ吸収性本体４０の外側縁４０Ｅを幅方向Ｗに跨がる後側弾性部材と、を有してよい。前側弾性部材は、前外装体１６に配置された弾性部材のうち、伸縮可能な状態で吸収性本体の外側縁４０Ｅを跨いで配置された弾性部材である。本実施の形態の前側弾性部材は、９本の非連続弾性部材５３と、２本の腰周り連続弾性部材５２と、２本のウエスト連続弾性部材５１と、によって構成されている。また、後側弾性部材は、後外装体１７に配置された弾性部材のうち、伸縮可能な状態で吸収性本体の外側縁４０Ｅを跨いで配置された弾性部材である。本実施の形態の後側弾性部材は、８本の非連続弾性部材５３と、２本の腰周り連続弾性部材５２と、によって構成されている。
【００５８】
前側弾性部材の数は、後側弾性部材の数よりも多くてよい。前側部弾性部材の数が後側部弾性部材の数よりも多いため、前外装体１６において吸収性本体を幅方向の外側に引っ張る力が、後外装体１７において吸収性本体を幅方向の外側に引っ張る力よりも強くなり易い。着用状態では、後胴周り域Ｓ２の外側部は、サイド接合部６０を介して前胴周り域Ｓ１の外側部に連なり、前胴周り域Ｓ１の外側部を介して幅方向Ｗの外側に引っ張られる。よって、後胴周り域Ｓ２の吸収性本体４０は、幅方向Ｗの外側に引っ張られ、表面の凹凸が小さくなり、面で身体に当たり易い。後胴周り域Ｓ２において吸収性本体４０が面で身体に当たることにより、臀部間の隙間を介した漏れを抑制できる。
【００５９】
図５は、外装体１５の拡大平面図である。図５及び図２に示すように、非固定領域Ｒ１２には、一対のシート材１８を接合した接合部７５が設けられてよい。接合部７５は、第１シート１８Ａと第２シート１８Ｂを接合するように構成されていればよく、具体的には、シート材１８を熱又は超音波によって溶着した溶着部、シート材１８を厚み方向に圧縮したエンボス部、シート材１８を接着剤で接合した接着部を例示できる。接合部７５によってシート材１８の凹凸をコントロールすることができる。皺を細かく形成したり、皺を意図した形状に形成したりして、皺による肌に対する違和感を抑制できる。
【００６０】
接合部７５の平面視の形状は限定されない。接合部は、点状であってもよいし、前後方向又は幅方向に延びる線状であってもよい。接合部７５は、平面視にて間隔を空けて複数設けられてよい。すなわち、接合部７５は、前後方向Ｌ及び幅方向のうち少なくとも一方において間隔を空けて配置されてよい。好適には、非固定領域Ｒ１２に前後方向に間隔を空けて複数の腰周り連続弾性部材５２が配置された形態にあっては、前後方向に隣り合う腰周り連続弾性部材５２の間に接合部７５を設けてよい。前後方向に隣り合う腰周り連続弾性部材５２を接合部によって隔てることができる。よって、腰周り連続弾性部材５２を前後方向に一定の間隔を空けて配置でき、腰周り連続弾性部材５２の収縮による皺を均一化し易い。加えて、腰周り連続弾性部材５２を前後方向に一定の間隔を空けて配置することで、前後方向に隣り合う腰周り連続弾性部材５２が重なり合うことに起因して局所的に身体に密着することを抑制できる。
【００６１】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【産業上の利用可能性】
【００６２】
装着感の低下を抑制しつつ、吸収性本体の外側縁におけるフィット性を向上させて体液の横漏れの発生を抑制できる吸収性物品を提供することができる。
【符号の説明】
【００６３】
１０      ：吸収性物品
１５      ：外装体
１６      ：前外装体
１７      ：後外装体
１８      ：シート材
１８Ａ    ：第１シート
１８Ｂ    ：第２シート
４０      ：吸収性本体
４１      ：第１バックシート
４２      ：第２バックシート
４３      ：トップシート
４５      ：吸収コア
５０      ：弾性部材
５１      ：ウエスト連続弾性部材
５２      ：連続弾性部材
５３      ：非連続弾性部材
６０      ：サイド接合部
６２      ：ウエスト開口部
６６      ：開口部
７５      ：接合部
ＨＭ      ：ＨＭＡ型接着剤
Ｒ１１    ：固定領域
Ｒ１１１  ：前固定領域
Ｒ１１２  ：後固定領域
Ｒ１２    ：非固定領域
Ｒ１２１  ：前非固定領域
Ｒ１２２  ：後非固定領域
Ｒ２１    ：伸縮領域
Ｒ２２    ：非伸縮領域
Ｓ１    前胴周り域
Ｓ２    後胴周り域
Ｓ３    股下域
Ｌ      前後方向
Ｗ      幅方向
Ｔ        ：厚み方向
Ｔ１      ：肌面側
Ｔ２      ：非肌面側
【図１】
2020137970.tif 000003
【図２】
2020137970.tif 000004
【図３】
2020137970.tif 000005
【図４】
2020137970.tif 000006
【図５】
2020137970.tif 000007